(57)【要約】 【課題】枠体の揺動軸支部近傍における構造的強度を向上させ、不正な枠体のこじ開けを有効に阻止し得るヒンジ構造及びそのヒンジ構造を有する遊技機を提供すること。【解決手段】このヒンジ構造１８は、筐体枠４とその前方に配置されて前面開閉可能とされた装飾枠１２とを、両枠体４，１２の左側面４ｃ，１２ｂにおいて揺動軸支するヒンジ構造であって、筐体枠４にはその幅方向内側に突出する突出片５が揺動軸支部１８ａ近傍に設けられ、装飾枠１２にが両枠体４，１２の閉鎖状態において突出片５の後方に位置するとともに開放状態において突出片５の前方に位置する係合片１３が設けられ、両枠体４，１２の閉鎖状態において突出片５と係合片１３との当接により揺動軸支部１８ａ近傍における装飾枠１２の前方への移動を阻止する。【選択図】図２
2008173305.tif 000002
【特許請求の範囲】
【請求項１】
第１枠体と該第１枠体の前方に配置されて前面開閉可能とされた第２枠体とを、該両枠体の一側面において揺動軸支するヒンジ構造であって、
前記第１枠体に、その幅方向内側に突出する突出片が前記揺動軸支部近傍に設けられ、
前記第２枠体に、前記両枠体の閉鎖状態において前記突出片の後方に位置するとともに前記両枠体の開放状態において前記突出片の前方に位置する係合片が設けられ、
前記両枠体の閉鎖状態において前記突出片と前記係合片との当接により揺動軸支部近傍における前記第２枠体の前方への移動を阻止するヒンジ構造。
【請求項２】
前記第１枠体及び前記突出片がアルミニウムで形成され、かつ前記係合片が金属で形成されている請求項１に記載のヒンジ構造。
【請求項３】
前記揺動軸支部の回転中心軸が、前記突出片と前記係合片との当接部より前方であって、かつ幅方向内側に配置されている請求項１又は請求項２に記載のヒンジ構造。
【請求項４】
遊技機全体を囲む前記第１枠体と、
遊技媒体による遊技を演出する遊技装置体と、
該遊技装置体を保持し、前記第１枠体に対して前面開閉可能に揺動軸支された機枠と、
前記遊技装置体に対して一定距離離間して配置された前面透明板と、
該前面透明板又はその周囲を囲む装飾部材を保持し、前記第１枠体の前方に配置されて前面開閉可能とされた前記第２枠体と、
請求項１から請求項３のうちいずれか１項に記載のヒンジ構造と、
前記遊技媒体を貯留する貯留皿と、を有する遊技機。
【請求項５】
遊技機全体を囲む筐体枠と、
遊技媒体による遊技を演出する遊技装置体と、
該遊技装置体を保持し、前記筐体枠に対して前面開閉可能に揺動軸支された前記第１枠体と、
前記遊技装置体に対して一定距離離間して配置された前面透明板と、
該前面透明板又はその周囲を囲む装飾部材を保持し、前記第１枠体の前方に配置されて前面開閉可能とされた第２枠体と、
請求項１から請求項３のうちいずれか１項に記載のヒンジ構造と、
前記遊技媒体を貯留する貯留皿と、を有する遊技機。
【発明の詳細な説明】
【技術分野】
【０００１】
本発明は、ヒンジ構造及び遊技機に係り、特に、パチンコ機等の遊技機において高い構造的強度によってヒンジ近傍の破壊を防止し、不正な枠体のこじ開けを阻止し得るヒンジ構造等に関する。
【背景技術】
【０００２】
パチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このようなパチンコ機は、機器全体が複数の枠により囲まれるように構成されて、球の円滑な流下、遊技者による不正遊技防止、パチンコホールへの設置性の向上、メンテナンス性の向上、遊技の演出等様々な機能を実現している。
【０００４】
具体的には、筐体枠がパチンコ機全体の主に上下面及び左右側面を囲むように構成されている。この筐体枠は、一般に木材又は樹脂等で形成された枠体であって、全体として略直方体形状を呈してその前後面部分が大きく開口して略筒状とされ、例えて言えば「四角筒」様形状とされている。
【０００５】
そして、その筐体枠の前方、すなわち、遊技者側には機枠が配置されている。この機枠は、遊技盤を保持するための枠体であって、筐体枠に対して開閉及び施錠可能に揺動軸支されている。さらに、この機枠はその裏面側に景品球払出し装置、入賞球処理装置、球の各種通路を含む裏機構盤を保持している。
【０００６】
機枠のさらに前方には装飾枠が配置されている。この装飾枠は遊技者に直接対向する位置に配置された枠体であって、一般に、中央近傍に遊技盤を視認するための開口が形成されてその開口部分に例えばガラス等の透明板を保持している。さらに装飾枠は透明板の周囲に、遊技を演出するための造作物や色彩・模様が付されるとともに電飾用ランプや効果音発生用スピーカ等が設けられた装飾部材を保持している。
【０００７】
これらの枠体は、単独で又は協働して外部からの不正遊技を防止する機能を発揮している。すなわち、装飾枠及び透明板が遊技盤の前面を覆って前面からの不正を防止し、各枠体（筐体枠、機枠、装飾枠）が協働してパチンコ機の左右側面及び上面を囲み、左右側面及び上面からの不正を防止している。
【０００８】
このような、パチンコ機の枠体、特に筐体枠の構造について、例えば特許文献１に開示のものがある。
【０００９】
【特許文献１】特開２００５−０００４３０号公報
【発明の開示】
【発明が解決しようとする課題】
【００１０】
各枠体は、パチンコ機の左右側面又は上面において互いに当接するようにパチンコ機を囲んでいるが、各枠体の当接部分には、製造上や組立て上の寸法精度に起因する隙間が存在する。そしてその隙間にバールのような不正工具をこじ入れて、枠体をこじ開けることによってパチンコ機内部に不正アクセスを試みる不正遊技が行われる場合がある。
【００１１】
特に枠体の一側面（通常は、遊技者から見て左側面。）に配置された揺動軸支部近傍は他の部分に比較して強度が弱く、この部分からのこじ開けが頻繁に行われている。そのため、この揺動軸支部においてこじ開けに対する強度を向上させ、不正遊技を有効に阻止し得る方策が必要とされている。
【００１２】
本発明は上記の事情に鑑みて為されたもので、枠体の揺動軸支部近傍における構造的強度を向上させ、不正な枠体のこじ開けを有効に阻止し得るヒンジ構造及びそのヒンジ構造を有する遊技機を提供することを例示的課題とする。
【課題を解決するための手段】
【００１３】
上記の課題を解決するために本発明の例示的側面としてのヒンジ構造は、第１枠体と第１枠体の前方に配置されて前面開閉可能とされた第２枠体とを、両枠体の一側面において揺動軸支するヒンジ構造であって、第１枠体に、その幅方向内側に突出する突出片が揺動軸支部近傍に設けられ、第２枠体に、両枠体の閉鎖状態において突出片の後方に位置するとともに両枠体の開放状態において突出片の前方に位置する係合片が設けられ、両枠体の閉鎖状態において突出片と係合片との当接により揺動軸支部近傍における第２枠体の前方への移動を阻止することを特徴とする。
【００１４】
第１枠体と第２枠体との閉鎖状態で、第１枠体の突出片の後方に第２枠体の係合片が位置するので、バール等の不正工具により第２枠体をこじ開けようとしても、突出片と係合片との当接により第２枠体の前方への移動が阻止され、こじ開けができない。したがって、不正なこじ開けが有効に阻止され、不正遊技を防止することができる。
【００１５】
ここで、第１枠体から見て第２枠体側を前方、その逆方向を後方とする。また、ヒンジ構造における揺動軸支部の回転中心軸方向を高さ方向とし、その高さ方向に沿って枠体の左右側面が延びている。枠体の左右側面に相互に直交する方向を幅方向とし、枠体の幅方向中央部に向かう方向を内側方向とする。
【００１６】
第１枠体及び突出片がアルミニウムで形成され、かつ係合片が金属で形成されていてもよい。突出片及び係合片がともに金属で形成されているので、ヒンジ構造は高い強度を確保することができ、こじ開けに対する高い耐性を備えることができる。また、第１枠体及び突出片がアルミニウムにより一体形成されていれば、第１枠体の製造が容易かつ低コストとなる。
【００１７】
揺動軸支部が、突出片と係合片との当接部より前方であって、かつ幅方向内側に配置されていてもよい。揺動軸支部が突出片と係合片との当接部より前方であってかつ幅方向内側に配置されているので、第２枠体の開閉時に突出片と係合片とが干渉したり衝突したりすることなくスムーズに開閉を行うことができる。
【００１８】
本発明の他の例示的側面としての遊技機は、遊技機全体を囲む第１枠体と、遊技媒体による遊技を演出する遊技装置体と、遊技装置体を保持し、第１枠体に対して前面開閉可能に揺動軸支された機枠と、遊技装置体に対して一定距離離間して配置された前面透明板と、前面透明板又はその周囲を囲む装飾部材を保持し、第１枠体の前方に配置されて前面開閉可能とされた第２枠体と、上記のヒンジ構造と、遊技媒体を貯留する貯留皿とを有することを特徴とする。
【００１９】
本発明の更に他の例示的側面としての遊技機は、遊技機全体を囲む筐体枠と、遊技媒体による遊技を演出する遊技装置体と、遊技装置体を保持し、筐体枠に対して前面開閉可能に揺動軸支された第１枠体と、遊技装置体に対して一定距離離間して配置された前面透明板と、前面透明板又はその周囲を囲む装飾部材を保持し、第１枠体の前方に配置されて前面開閉可能とされた第２枠体と、上記のヒンジ構造と、遊技媒体を貯留する貯留皿とを有することを特徴とする。
【００２０】
これらの遊技機は上記のヒンジ構造を有しており、バール等の不正工具による枠体のこじ開けを効果的に阻止することができるので、パチンコホールの経営者や店員が安心して遊技を提供することができる。この遊技機をパチンコホールに設置することにより、不正遊技を試みる遊技者をパチンコホールから遠ざけることができ、結果的に他の遊技者も安心して遊技を行うことができる。
【００２１】
本発明の更なる目的又はその他の特徴は、以下添付図面を参照して説明される好ましい実施の形態によって明らかにされるであろう。
【発明の効果】
【００２２】
本発明によれば、外部から遊技機内部に針金等の異物を侵入させる不正遊技を効果的に防止することができる。したがって、パチンコホールの経営者や店員が安心して遊技を提供することができるとともに、遊技者が安心して遊技を行うことができる。さらに、遊技機の部品コストや組立てコストを低減することができるので、結果として遊技機全体のコスト低減に寄与することができる。
【発明を実施するための最良の形態】
【００２３】
以下、本発明の実施の形態について図面を用いて説明する。図１は、本発明の実施の形態に係るヒンジ構造を有する遊技機としてのパチンコ機２の外観を示す外観斜視図である。パチンコ機２は、筐体枠（第１枠体）４、遊技盤（遊技装置体）６、機枠８、前面透明板１０、装飾枠（第２枠体）１２、ヒンジ構造１８、上皿（貯留皿）１４を有して構成されている。この筐体枠４及び装飾枠１２を有して枠体ユニット３が構成されている。パチンコ機２は、さらに、球発射装置（図示せず。）、発射ハンドル１６を有している。
【００２４】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００２５】
筐体枠４は、このパチンコ機２全体を囲むための枠体であり、全体として略直方体形状を呈してその前後面部分が大きく開口して略筒状とされている。筐体枠４の材料としては木材や樹脂が用いられる場合もあるが、本実施の形態においては、筐体枠４の材料としてアルミニウムが用いられている。
【００２６】
この筐体枠４は、全体をダイキャスト等により一体成形することももちろん可能である。しかしながら、上面４ａ、下面４ｂ、左側面４ｃ、右側面４ｄをそれぞれ押出成形によって形成し、それぞれの端部を連結して筐体枠４とすれば、より一層部品コストを低減することができる。
【００２７】
この筐体枠４の前方（すなわち、遊技者側。）から見て左側面４ｃ側には機枠８及び装飾枠１２を揺動軸支するためのヒンジ構造１８が設けられている。例えば、左側面４ｃに近い側の上面４ａ及び下面４ｂに揺動軸支部１８ａが設けられ、この揺動軸支部１８ａに軸支されることによって、機枠８及び装飾枠１２が筐体枠４の右側面４ｄ側から開閉可能とされている。なお、ヒンジ構造１８の詳細については後述する。
【００２８】
遊技盤６は、このパチンコ機２において、遊技媒体としての球２０による遊技を演出するためのものである。遊技盤６の遊技盤面６ａには、略円形状に周囲を囲むようにレール２２が取り付けられ、このレール２２によって遊技領域６ｂが画定されている。
【００２９】
その遊技領域６ｂ内には多数のゲージ２４、入賞口２６、図柄表示装置２８、アウト口３０、その他の各種役物が配置されている。図示しない球発射装置により球２０が遊技領域６ｂ内の上部に向けて発射されると、球２０がゲージ２４に衝突してその流下方向を変えつつ遊技領域６ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤６上を球２０が流下する際に、様々な遊技が演出されるようになっている。
【００３０】
遊技盤６の裏面側には入賞口２６に入賞した入賞球やアウト口３０に流入したアウト球を排出するための球通路、図柄表示装置２８の図柄表示制御を行う図柄表示制御基板（図示せず。）、各種役物の動作制御を行う役物制御基板が配置されるが詳細は省略する。
【００３１】
機枠８は、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ構造１８において筐体枠４に軸支され、筐体枠４に対して前面開閉可能に揺動軸支されている。機枠８は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００３２】
前面透明板１０は、遊技盤６に対して一定距離離間して配置された透明板である。前面透明板１０は透明平板で形成され、遊技盤６との間に球２０が流下する流下空間を形成する機能、遊技者が前面透明板１０を通して遊技盤６を視認できるように視認性を確保する機能、遊技者が遊技盤６に不正にアクセス（接触）できないように不正アクセスを防止する機能、を発揮する。
【００３３】
そのため、前面透明板１０の素材としては一般にガラスが使用されるが、もちろん透明アクリル等の樹脂材料が使用されてもよい。また、本実施の形態においては、前面透明板１０が後述する装飾枠１２に保持されるが、前面透明板１０が遊技盤６の前面に取り付けられて、遊技盤６とともに機枠８に保持されるように構成されていてもよい。
【００３４】
装飾枠１２は、前面透明板１０又はその周囲を囲む装飾部材３２を保持するための枠体である。本実施の形態においては、装飾枠１２は、前面透明板１０及び装飾部材３２の両方を保持しているが、もちろん、前面透明板１０を保持せず装飾部材３２のみを保持するものであってもよい。
【００３５】
装飾枠１２は、機枠８の前方に配置されて揺動軸支部１８ａにおいて機枠８とともに筐体枠４に軸支され、筐体枠４に対して前面開閉可能に揺動軸支されている。その装飾枠１２は、例えば樹脂によって形成され、その中央部には前面透明板１０を取り付けるための取付け開口が形成されている。その前面透明板１０の周囲には、パチンコ機２を装飾するための造形物や電飾用ランプ等が付された装飾部材３２が取り付けられ、パチンコ機２の遊技演出に寄与している。
【００３６】
この装飾枠１２は、施錠装置１によって筐体枠４と閉鎖状態に施錠可能となっている。閉鎖状態では、装飾枠１２及び前面透明板１０によって遊技盤６の前面側が覆われる。それにより、遊技盤面６ａ上の球２０の流下路が形成されるとともに遊技者が前面から遊技盤６へとアクセスできないようになっている。
【００３７】
ヒンジ構造１８は、筐体枠４とその前方に配置されて前面開閉可能とされた装飾枠１２とを左側面４ｃにおいて揺動軸支するためのものである。図２（ａ），（ｂ）は、このヒンジ構造の概略構造を模式的に示す部分拡大図である。
【００３８】
このヒンジ構造１８は、揺動軸支部１８ａ，突出片５、係合片１３を有して構成される。揺動軸支部１８ａは、筐体枠４と装飾枠１２との軸支部分であり両枠体４，１２の開閉時における回転中心を担う部分である。揺動軸支部１８ａは、例えば、筐体枠４の上面４ａの左側面４ｃ側に取り付けられたブラケット４ｆに形成された軸孔４ｇに、装飾枠１２に固定された回転軸（回転中心軸）１２ａが嵌合することにより構成される。
【００３９】
突出片５は、アルミニウムで形成されており、筐体枠４の幅方向内側に突出している。本実施の形態においては、突出片５は、筐体枠４とともに一体成形されているが、もちろん別部材としての突出片５が筐体枠４に取り付けられていてもよい。
【００４０】
そして、係合片１３は、鉄により形成された板金部材であり、装飾枠１２に取り付け固定されている。係合片１３は、装飾枠１２の内側から幅方向外側、すなわち装飾枠１２の左側面１２ｂに向けて突出するように固定されている。
【００４１】
図２（ａ）に示すように、両枠体４，１２の閉鎖状態においては係合片１３が突出片５の後方に位置するようになっている。したがって、この状態で、筐体枠４の左側面４ｃと装飾枠１２の左側面１２ｂとの隙間１２ｃから例えばバール等の不正工具をこじ入れ、装飾枠１２をこじ開けようとしても、突出片５と係合片１３との当接により装飾枠１２が前方へ移動できず、こじ開けができないようになっている。突出片５、係合片１３が、ともに金属により形成されているので、構造的に強度が高く、こじ開けを確実に阻止することができる。
【００４２】
一方、図２（ｂ）は、筐体枠４に対して装飾枠１２が開放した状態を示している。装飾枠１２の開放によって、装飾枠１２とともに係合片１３が回転軸１２ａを中心として回転し、突出片５の前方に移動する。したがって、例えばメンテナンス等において装飾枠１２を筐体枠４から取り外す場合、この開放状態であれば突出片５と係合片１３とが当接しないので、装飾枠１２を簡単に取り外すことができる。
【００４３】
ここで、回転軸１２ａは、突出片５と係合片１３との当接部１３ａより前方であって、かつ幅方向内側、すなわち図２（ａ）（ｂ）中の斜線領域Ａ内に配置されている。したがって、装飾枠１２の開放動作において、係合片１３が突出片５に干渉したり衝突したりすることがなく、スムーズに装飾枠１２の開放動作（同様に閉鎖動作。）を行うことができる。
【００４４】
上皿１４は、球２０を球発射装置に導くべく貯留するためのもので、下皿１５とともに遊技者の持ち球を貯留する機能を有する。上皿１４は、パチンコ機２の前面であって遊技盤６の下方、すなわち、装飾枠１２の下方部分に配置され、下皿１５は、その上皿１４のさらに下方に配置されている。本実施の形態においては、上皿１４と下皿１５とを別々に構成しているが、もちろん上皿１４と下皿１５とが一体となって１つの貯留皿が構成されていてもよい。
【００４５】
上皿１４は、景品球としてパチンコ機２から払い出された球２０を受け取る機能や、その球２０を球供給装置（いわゆる整流器、図示せず。）を介して球発射装置に導くべく貯留する機能を有している。また、球２０が多量となって上皿１４に貯留し切れなくなった場合や遊技者が遊技を終了する場合に、球排出ボタン１４ｂによって下皿１５へと球２０を排出することができるようになっている。
【００４６】
図示しない球発射装置は、遊技媒体としての球（パチンコ球）２０を遊技領域６ｂの上部に向けて発射（弾球）するためのものである。球発射装置は、例えば発射位置に送り出された球２０を遊技領域６ｂに向けて弾球する発射杆、その発射杆を駆動して弾球往復動を行わせる発射モータ、発射杆を付勢して弾球のための力を発生させる発射バネ等を有してユニット構成され、機枠８に取り付けられている。
【００４７】
発射ハンドル１６は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆１６ａが回転可能となっている。遊技者は、発射ハンドル１６を手で保持しつつ、強度調整杆１６ａを回転させることにより、球２０の発射強度を調整することができるようになっている。
【００４８】
なお、本実施の形態においては、遊技機としてのパチンコ機２について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００４９】
また、本実施の形態においては、枠体ユニット３が筐体枠４及び装飾枠１２を有して構成され、筐体枠４に突出片５が設けられている場合について説明したが、もちろん枠体ユニット３が機枠８及び装飾枠１２を有して構成され、機枠８に突出片５が設けられていてもよい。この場合は、機枠８が第１枠体として機能することとなる。
【００５０】
それにより、機枠８と装飾枠１２との閉鎖状態において、機枠８の突出片５と装飾枠１２の係合片１３との当接により、機枠８と装飾枠１２との間のこじ開けが阻止される。この場合において、機枠８及び突出片５がアルミニウムによって形成されていてももちろんよい。
【００５１】
以上、本発明の好ましい実施の形態を説明したが、本発明はこれらに限定されるものではなく、その要旨の範囲内で様々な変形や変更が可能である。
【図面の簡単な説明】
【００５２】
【図１】本発明の実施の形態１に係るヒンジ構造を有するパチンコ機の外観斜視図である。
【図２】本発明の実施の形態１に係るヒンジ構造の概略構造を模式的に示す部分拡大図であって、（ａ）は筐体枠と装飾枠との閉鎖状態を示し、（ｂ）は筐体枠と装飾枠との開放状態を示す。
【符号の説明】
【００５３】
Ａ：斜線領域
１：施錠装置
２：パチンコ機（遊技機）
３：枠体ユニット
４：筐体枠（第１枠体、枠体ユニットの一部）
４ａ：上面
４ｂ：下面
４ｃ：左側面
４ｄ：右側面
４ｆ：ブラケット
４ｇ：軸孔
５：突出片
６：遊技盤（遊技装置体）
６ａ：遊技盤面
６ｂ：遊技領域
８：機枠
１０：前面透明板
１２：装飾枠（第２枠体、枠体ユニットの一部）
１２ａ：回転軸（回転中心軸）
１２ｂ：左側面
１２ｃ：隙間
１３：係合片
１３ａ：当接部
１４：上皿（貯留皿）
１４ｂ：球排出ボタン
１５：下皿
１６：発射ハンドル
１６ａ：強度調整杆
１８：ヒンジ構造
１８ａ：揺動軸支部
２０：球（遊技媒体）
２２：レール
２４：ゲージ
２６：入賞口
２８：図柄表示装置
３０：アウト口
３２：装飾部材
【図１】
2008173305.tif 000003
【図２】
2008173305.tif 000004